(57)【要約】【課題】光コネクタに光ファイバの先端部を固定する際に、光ファイバに所望の大きさのたわみを形成する。【解決手段】本発明の光コネクタ用取付補助具１０は、光コネクタ３０をセットするための光コネクタセット部１２と、光コネクタセット部１２にセットされた光コネクタ３０に光ファイバ５０の先端部を挿入する際に光コネクタ３０の先端部を光コネクタ３０側にガイドするためのファイバガイド面１７Ａを有して構成されたファイバガイド部１４と、光コネクタセット部１２にセットされた光コネクタ３０に光ファイバ５０の先端部を挿入した状態で光ファイバ５０の先端部よりも後端側をスライド可能に支持するためのスライド支持部１６と、を備えている。ファイバガイド面１７Ａには、光ファイバ５０に特定の方向（この場合、上側）に向けてたわみを形成するための凸部１８が形成されている。【選択図】図１
2011059137.tif 000002
【特許請求の範囲】
【請求項１】
光コネクタの内部に形成された溝に光ファイバの先端部を挿入して前記溝に保持された内蔵光ファイバの後端と前記光ファイバの先端とを突き合わせた状態で前記光ファイバの先端部に前記光コネクタを固定するための光コネクタ用取付補助具であって、
前記光コネクタをセットするための光コネクタセット部と、
前記光コネクタセット部にセットされる前記光コネクタの軸方向に前記光コネクタセット部と並んで設けられると共に、前記光コネクタセット部にセットされた前記光コネクタに前記光ファイバの先端部を挿入する際に前記光コネクタの先端部を前記光コネクタ側にガイドするためのファイバガイド面を有して構成されたファイバガイド部と、
前記ファイバガイド部に対する前記光コネクタセット部と反対側に設けられ、前記光コネクタセット部にセットされた前記光コネクタに前記光ファイバの先端部を挿入した状態で前記光ファイバの先端部よりも後端側をスライド可能に支持するためのスライド支持部と、
前記ファイバガイド面から突出された凸部と、
を備えた光コネクタ用取付補助具。
【請求項２】
光コネクタの内部に形成された溝に光ファイバの先端部を挿入して前記溝に保持された内蔵光ファイバの後端と前記光ファイバの先端とを突き合わせた状態で前記光ファイバの先端部に前記光コネクタを固定するための光コネクタ用取付補助具であって、
前記光コネクタをセットするための光コネクタセット部と、
前記光コネクタセット部にセットされる前記光コネクタの軸方向に前記光コネクタセット部と並んで設けられると共に、前記光コネクタセット部にセットされた前記光コネクタに前記光ファイバの先端部を挿入する際に前記光コネクタの先端部を前記光コネクタ側にガイドするためのファイバガイド面を有して構成されたファイバガイド部と、
前記ファイバガイド部に対する前記光コネクタセット部と反対側に設けられると共に、前記光コネクタセット部にセットされた前記光コネクタに前記光ファイバの先端部を挿入した状態で前記光ファイバの先端部よりも後端側をスライド可能に支持するためのスライド支持面を有し、且つ、前記スライド支持面が前記光コネクタセット部と反対側を向くように前記軸方向に対して傾斜されたスライド支持部と、
を備えた光コネクタ用取付補助具。
【請求項３】
前記ファイバガイド部には、前記ファイバガイド面の向く方向に凸をなす円弧部が設けられている、
請求項１又は請求項２に記載の光コネクタ用取付補助具。
【請求項４】
前記ファイバガイド部の前記軸方向に沿った長さは、２０ｍｍ以上とされている、
請求項１〜請求項３のいずれか一項に記載の光コネクタ用取付補助具。
【請求項５】
前記ファイバガイド部の前記軸方向に沿った長さは、２５ｍｍ以上３５ｍｍ以下とされている、
請求項４に記載の光コネクタ用取付補助具。
【請求項６】
請求項４に記載の光コネクタ用取付補助具を用いて、外径が０．９ｍｍとされた前記光ファイバの先端部に前記光コネクタを固定する光コネクタの組立方法であって、
前記光コネクタセット部に前記光コネクタをセットする工程と、
前記光ファイバの先端部を前記ファイバガイド面によってガイドさせながら、前記光ファイバを前記光コネクタセット部側にスライドさせて、前記光ファイバの先端部を前記光コネクタの内部の前記溝に挿入する工程と、
前記光ファイバの先端部よりも後端側を前記スライド支持部で支持し、前記内蔵光ファイバの後端と前記光ファイバの先端とが突き当てられて前記ファイバガイド面上において前記光ファイバにたわみが形成されるまで、前記光ファイバの先端部よりも後端側を前記スライド支持部にて前記光コネクタセット部側にスライドさせる工程と、
前記光ファイバにたわみが形成された状態で前記光ファイバの先端部に前記光コネクタを固定する工程と、
を備えた光コネクタの組立方法。
【請求項７】
請求項５に記載の光コネクタ用取付補助具を用いて、外径が０．９ｍｍ又は０．２５ｍｍとされた前記光ファイバの先端部に前記光コネクタを固定する光コネクタの組立方法であって、
前記光コネクタセット部に前記光コネクタをセットする工程と、
前記光ファイバの先端部を前記ファイバガイド面によってガイドさせながら、前記光ファイバを前記光コネクタセット部側にスライドさせて、前記光ファイバの先端部を前記光コネクタの内部の前記溝に挿入する工程と、
前記光ファイバの先端部よりも後端側を前記スライド支持部で支持し、前記内蔵光ファイバの後端と前記光ファイバの先端とが突き当てられて前記ファイバガイド面上において前記光ファイバにたわみが形成されるまで、前記光ファイバの先端部よりも後端側を前記スライド支持部にて前記光コネクタセット部側にスライドさせる工程と、
前記光ファイバにたわみが形成された状態で前記光ファイバの先端部に前記光コネクタを固定する工程と、
を備えた光コネクタの組立方法。
【請求項８】
内蔵光ファイバを有するフェルールと、
前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、
前記フェルール及び前記ファイバ固定部と別体に構成され、前記光ファイバケーブルの外皮部と固定されるケーブル固定部と、
前記ファイバ固定部に対して前記ケーブル固定部を固定支持するための固定支持部と、
前記ファイバ固定部と前記ケーブル固定部との間から突出され、前記光ファイバ心線の突出部に特定の方向に向けてたわみを形成するための凸部と、
を備えた光コネクタ。
【請求項９】
内蔵光ファイバを有するフェルールと、
前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、
前記フェルール及び前記ファイバ固定部と別体に構成され、前記光ファイバケーブルの外皮部と固定されるケーブル固定部と、
前記ケーブル固定部から前記ファイバ固定部に向けて延出されると共に、前記光ファイバ心線の突出部と接触されて前記光ファイバ心線の突出部に特定の方向に向けてたわみを形成し得る変形状態を取り得る可動片と、
前記ファイバ固定部に対して前記ケーブル固定部を固定支持するための固定支持部と、
前記固定支持部に設けられ、前記ケーブル固定部が前記ファイバ固定部側に移動されることに伴って前記可動片と接触されて前記可動片を前記変形状態とする接触部と、
を備えた光コネクタ。
【請求項１０】
内蔵光ファイバを有するフェルールと、
前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、
前記フェルール及び前記ファイバ固定部と別体に構成され、前記光ファイバケーブルの外皮部と固定されるケーブル固定部と、
前記ファイバ固定部に対して前記ケーブル固定部を固定支持するための固定支持部と、
前記固定支持部に設けられると共に、前記光ファイバ心線の突出部と接触されて前記光ファイバ心線の突出部に特定の方向に向けてたわみを形成し得る変形状態を取り得る可動片と、
を備えた光コネクタ。
【請求項１１】
内蔵光ファイバを有するフェルールと、
前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、
前記フェルール及び前記ファイバ固定部と別体に構成され、前記光ファイバケーブルの外皮部と固定されるケーブル固定部と、
前記溝の中心軸に対して偏芯した位置に中心軸を有すると共に前記溝と連通するガイド孔を有し、前記ファイバ固定部に対して前記ケーブル固定部を固定支持するための固定支持部と、
を備えた光コネクタ。
【発明の詳細な説明】
【技術分野】
【０００１】
本発明は、光コネクタ用取付補助具及び光コネクタに関する。
【背景技術】
【０００２】
特許文献１には、光コネクタ取付用工具が開示されている。この光コネクタ取付用工具では、挿入補助工具に光コネクタを取り付けると共に、アタッチメント工具に光ファイバを取り付けた状態で、挿入補助工具に対してアタッチメント工具をスライドさせて光コネクタの内部に光ファイバを挿入し、この光ファイバと、光コネクタの内部に設けられた内蔵光ファイバとを突き合わせ接続するようになっている。
【０００３】
一方、特許文献２には、光コネクタが開示されている。この光コネクタは、フレームと、このフレームの内部に設けられ内蔵光ファイバを有する接続部品と、光ファイバケーブルを把持する把持部材と、フレームに対して把持部材を支持する把持部材収納部と、把持部材収納部を開閉する蓋を有して構成されている。そして、この光コネクタでは、蓋を開けた状態で把持部材を把持部材収納部に収納すると共に、把持部材から突出する光ファイバ心線の先端部を接続部品の内部に挿入し、この光ファイバ心線と、接続部品の内部に設けられた内蔵光ファイバとを突き合わせ接続するようになっている。
【先行技術文献】
【特許文献】
【０００４】
【特許文献１】特開２００７−１２１８６３号公報
【特許文献２】特開２００９−１３９８９１号公報
【発明の概要】
【発明が解決しようとする課題】
【０００５】
しかしながら、上記特許文献１に記載の光コネクタ取付用工具では、光ファイバと内蔵光ファイバとが所定の突き当て力で突き当てられるようにするために光ファイバの一部にたわみを形成するようになっているが、このたわみが上側ではなく下側に向けて形成された場合、たわみが工具の一部と干渉し、所望の大きさのたわみを形成することができない場合がある。そして、この場合には、光ファイバと内蔵光ファイバとの突き当て力が過大となり、光ファイバや内蔵光ファイバに欠け等が生じる虞がある。
【０００６】
同様に、上記特許文献２に記載の光コネクタにおいても、たわみが上側ではなく下側に向けて形成された場合、たわみが周囲のコネクタ構造部（例えば、把持部材から延出され、光ファイバ心線を下側から支持する延出支持部）と干渉し、所望の大きさのたわみを形成することができない場合がある。そして、この場合には、光ファイバ心線と内蔵光ファイバとの突き当て力が過大となり、光ファイバ心線や内蔵光ファイバに欠け等が生じる虞がある。
【０００７】
本発明は、上記課題に鑑みてなされたものであって、所望の大きさのたわみを形成することができる光コネクタ用取付補助具及び光コネクタを提供することを目的とする。
【課題を解決するための手段】
【０００８】
前記課題を解決するために、請求項１に記載の光コネクタ用取付補助具は、光コネクタの内部に形成された溝に光ファイバの先端部を挿入して前記溝に保持された内蔵光ファイバの後端と前記光ファイバの先端とを突き合わせた状態で前記光ファイバの先端部に前記光コネクタを固定するための光コネクタ用取付補助具であって、前記光コネクタをセットするための光コネクタセット部と、前記光コネクタセット部にセットされる前記光コネクタの軸方向に前記光コネクタセット部と並んで設けられると共に、前記光コネクタセット部にセットされた前記光コネクタに前記光ファイバの先端部を挿入する際に前記光コネクタの先端部を前記光コネクタ側にガイドするためのファイバガイド面を有して構成されたファイバガイド部と、前記ファイバガイド部に対する前記光コネクタセット部と反対側に設けられ、前記光コネクタセット部にセットされた前記光コネクタに前記光ファイバの先端部を挿入した状態で前記光ファイバの先端部よりも後端側をスライド可能に支持するためのスライド支持部と、前記ファイバガイド面から突出された凸部と、を備えている。
【０００９】
この光コネクタ用取付補助具によれば、例えば、次の要領で光ファイバの先端部に光コネクタを固定することができる。すなわち、先ず、光コネクタセット部に光コネクタをセットする。そして、この状態で、光ファイバの先端部をファイバガイド面によってガイドさせながら、光ファイバを光コネクタセット部側にスライドさせて、この光ファイバの先端部を光コネクタの内部の溝に挿入する。
【００１０】
次いで、光ファイバの先端部よりも後端側をスライド支持部で支持し、内蔵光ファイバの後端と光ファイバの先端とが突き当てられてファイバガイド面上において光ファイバにたわみが形成されるまで、光ファイバの先端部よりも後端側をスライド支持部にて光コネクタセット部側にスライドさせる。そして、光ファイバにたわみが形成された状態で光ファイバの先端部に光コネクタを固定する。以上の要領で光ファイバの先端部に光コネクタを固定することができる。
【００１１】
ここで、この光コネクタ用取付補助具において、ファイバガイド面には、凸部が突出されている。従って、上述のように、ファイバガイド面上において光ファイバにたわみを形成する場合でも、この凸部によってたわみの形成方向をファイバガイド面から離間する方向（上側）に規定することができる。これにより、たわみがファイバガイド面と干渉することを防止することができるので、所望の大きさのたわみを形成することができる。
【００１２】
請求項２に記載の光コネクタ用取付補助具は、光コネクタの内部に形成された溝に光ファイバの先端部を挿入して前記溝に保持された内蔵光ファイバの後端と前記光ファイバの先端とを突き合わせた状態で前記光ファイバの先端部に前記光コネクタを固定するための光コネクタ用取付補助具であって、前記光コネクタをセットするための光コネクタセット部と、前記光コネクタセット部にセットされる前記光コネクタの軸方向に前記光コネクタセット部と並んで設けられると共に、前記光コネクタセット部にセットされた前記光コネクタに前記光ファイバの先端部を挿入する際に前記光コネクタの先端部を前記光コネクタ側にガイドするためのファイバガイド面を有して構成されたファイバガイド部と、前記ファイバガイド部に対する前記光コネクタセット部と反対側に設けられると共に、前記光コネクタセット部にセットされた前記光コネクタに前記光ファイバの先端部を挿入した状態で前記光ファイバの先端部よりも後端側をスライド可能に支持するためのスライド支持面を有し、且つ、前記スライド支持面が前記光コネクタセット部と反対側を向くように前記軸方向に対して傾斜されたスライド支持部と、を備えている。
【００１３】
この光コネクタ用取付補助具によれば、例えば、次の要領で光ファイバの先端部に光コネクタを固定することができる。すなわち、先ず、光コネクタセット部に光コネクタをセットする。そして、この状態で、光ファイバの先端部をファイバガイド面によってガイドさせながら、光ファイバを光コネクタセット部側にスライドさせて、この光ファイバの先端部を光コネクタの内部の溝に挿入する。
【００１４】
次いで、光ファイバの先端部よりも後端側をスライド支持面上に沿わせた状態とし、内蔵光ファイバの後端と光ファイバの先端とが突き当てられてファイバガイド面上において光ファイバにたわみが形成されるまで、光ファイバの先端部よりも後端側をスライド支持面上にて光コネクタセット部側にスライドさせる。そして、光ファイバにたわみが形成された状態で光ファイバの先端部に光コネクタを固定する。以上の要領で光ファイバの先端部に光コネクタを固定することができる。
【００１５】
ここで、この光コネクタ用取付補助具において、上述のスライド支持面は、光コネクタセット部と反対側を向くように、光コネクタセット部にセットされた光コネクタの軸方向に対して傾斜されている。従って、上述のように、ファイバガイド面上において光ファイバにたわみを形成する場合でも、このスライド支持面の傾斜によってたわみの形成方向をファイバガイド面から離間する方向（上側）に規定することができる。これにより、たわみがファイバガイド面と干渉することを防止することができるので、所望の大きさのたわみを形成することができる。
【００１６】
請求項３に記載の光コネクタ用取付補助具は、請求項１又は請求項２に記載の光コネクタ用取付補助具において、前記ファイバガイド面の向く方向に凸をなす円弧部が前記ファイバガイド部に設けられた構成とされている。
【００１７】
この光コネクタ用取付補助具によれば、ファイバガイド部には、ファイバガイド面の向く方向に凸をなす円弧部が設けられているので、作業者は、この円弧部を利用して、たわみが適正な大きさに形成されているか目視確認することができる。
【００１８】
請求項４に記載の光コネクタ用取付補助具は、請求項１〜請求項３のいずれか一項に記載の光コネクタ用取付補助具において、前記ファイバガイド部の前記軸方向に沿った長さが２０ｍｍ以上とされた構成とされている。
【００１９】
現在、広く普及している外径が０．９ｍｍの光ファイバを用いた場合（特に、被覆の材料がナイロン（登録商標）の場合）に、ファイバガイド部の軸方向に沿った長さが２０ｍｍ未満に設定されていると、たわみの曲率が大き過ぎるため、光ファイバと内蔵光ファイバとの突き当て力が過大となり、光ファイバや内蔵光ファイバに欠け等が生じる。
【００２０】
これに対し、この光コネクタ用取付補助具によれば、ファイバガイド部の軸方向に沿った長さが２０ｍｍ以上に設定されているので、上述の０．９ｍｍの光ファイバを用いた場合でも、光ファイバと内蔵光ファイバとの突き当て力を適切な値とすることができ、これにより、光ファイバや内蔵光ファイバに欠け等が生じることを抑制することができる。
【００２１】
請求項５に記載の光コネクタ用取付補助具は、請求項４に記載の光コネクタ用取付補助具において、前記ファイバガイド部の前記軸方向に沿った長さが２５ｍｍ以上３５ｍｍ以下とされた構成とされている。
【００２２】
上述の通り、外径が０．９ｍｍの光ファイバを用いた場合には、ファイバガイド部の軸方向に沿った長さが２０ｍｍ以上に設定されている必要があるが、製造誤差や被覆の材料であるナイロン（登録商標）の種類によっては、この光ファイバよりももっと剛性の高い光ファイバも想定される。従って、この場合には、余裕をみて、ファイバガイド部の軸方向に沿った長さが２５ｍｍ以上に設定されている必要がある。
【００２３】
一方、現在、広く普及している外径が０．２５ｍｍの光ファイバを用いた場合に、ファイバガイド部の軸方向に沿った長さが３５ｍｍを上回って設定されていると、たわみの曲率が小さ過ぎるため、光ファイバと内蔵光ファイバとの突き当て力が不足し、所望の光学特性を得られない場合がある。
【００２４】
これに対し、この光コネクタ用取付補助具によれば、ファイバガイド部の軸方向に沿った長さが２５ｍｍ以上３５ｍｍ以下に設定されているので、上述の外径が０．９ｍｍであっても通常の光ファイバよりももっと剛性の高い光ファイバを用いる場合や、外径が０．２５ｍｍの光ファイバを用いた場合でも、光ファイバと内蔵光ファイバとの突き当て力を適切な値とすることができ、これにより、光ファイバや内蔵光ファイバに欠け等が生じたり、光ファイバと内蔵光ファイバとの突き当て力が不足して所望の光学特性を得られなくなったりすることを抑制することができる。
【００２５】
また、前記課題を解決するために、請求項６に記載の光コネクタの組立方法は、請求項４に記載の光コネクタ用取付補助具を用いて、外径が０．９ｍｍとされた前記光ファイバの先端部に前記光コネクタを固定する光コネクタの組立方法であって、前記光コネクタセット部に前記光コネクタをセットする工程と、前記光ファイバの先端部を前記ファイバガイド面によってガイドさせながら、前記光ファイバを前記光コネクタセット部側にスライドさせて、前記光ファイバの先端部を前記光コネクタの内部の前記溝に挿入する工程と、前記光ファイバの先端部よりも後端側を前記スライド支持部で支持し、前記内蔵光ファイバの後端と前記光ファイバの先端とが突き当てられて前記ファイバガイド面上において前記光ファイバにたわみが形成されるまで、前記光ファイバの先端部よりも後端側を前記スライド支持部にて前記光コネクタセット部側にスライドさせる工程と、前記光ファイバにたわみが形成された状態で前記光ファイバの先端部に前記光コネクタを固定する工程と、を備えている。
【００２６】
この光コネクタの組立方法によれば、請求項４に記載の光コネクタ用取付補助具を用いるので、上述のように、外径が０．９ｍｍの光ファイバを用いた場合でも、光ファイバと内蔵光ファイバとの突き当て力を適切な値とすることができ、これにより、光ファイバや内蔵光ファイバに欠け等が生じることを抑制することができる。
【００２７】
また、前記課題を解決するために、請求項７に記載の光コネクタの組立方法は、請求項５に記載の光コネクタ用取付補助具を用いて、外径が０．９ｍｍ又は０．２５ｍｍとされた前記光ファイバの先端部に前記光コネクタを固定する光コネクタの組立方法であって、前記光コネクタセット部に前記光コネクタをセットする工程と、前記光ファイバの先端部を前記ファイバガイド面によってガイドさせながら、前記光ファイバを前記光コネクタセット部側にスライドさせて、前記光ファイバの先端部を前記光コネクタの内部の前記溝に挿入する工程と、前記光ファイバの先端部よりも後端側を前記スライド支持部で支持し、前記内蔵光ファイバの後端と前記光ファイバの先端とが突き当てられて前記ファイバガイド面上において前記光ファイバにたわみが形成されるまで、前記光ファイバの先端部よりも後端側を前記スライド支持部にて前記光コネクタセット部側にスライドさせる工程と、前記光ファイバにたわみが形成された状態で前記光ファイバの先端部に前記光コネクタを固定する工程と、を備えている。
【００２８】
この光コネクタの組立方法によれば、請求項５に記載の光コネクタ用取付補助具を用いるので、外径が０．９ｍｍであっても通常の光ファイバよりももっと剛性の高い光ファイバを用いる場合や、外径が０．２５ｍｍの光ファイバを用いた場合でも、光ファイバや内蔵光ファイバに欠け等が生じたり、光ファイバと内蔵光ファイバとの突き当て力が不足して所望の光学特性を得られなくなったりすることを抑制することができる。
【００２９】
また、前記課題を解決するために、請求項８に記載の光コネクタは、内蔵光ファイバを有するフェルールと、前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、前記フェルール及び前記ファイバ固定部と別体に構成され、前記光ファイバケーブルの外皮部と固定されるケーブル固定部と、前記ファイバ固定部に対して前記ケーブル固定部を固定支持するための固定支持部と、前記ファイバ固定部と前記ケーブル固定部との間から突出され、前記光ファイバ心線の突出部に特定の方向に向けてたわみを形成するための凸部と、を備えている。
【００３０】
この光コネクタは、例えば、次の要領で光ファイバケーブルと固定される。すなわち、先ず、光ファイバケーブルの外皮部にケーブル固定部を固定した状態で、ケーブル固定部をファイバ固定部に近づけて、光ファイバケーブルの外皮部の端部から突出された光ファイバ心線の突出部をファイバ固定部の内部に形成された溝に挿入する。
【００３１】
次いで、内蔵光ファイバの後端と光ファイバ心線の先端とが突き当てられて光ファイバ心線の突出部にたわみが形成されるまで、ケーブル固定部をファイバ固定部に近づける。そして、光ファイバ心線の突出部にたわみが形成された状態で、ファイバ固定部によって光ファイバ心線の突出部を内蔵光ファイバと固定し、さらに、固定支持部によってファイバ固定部に対してケーブル固定部を固定支持する。以上の要領で、光コネクタは、光ファイバケーブルと固定される。
【００３２】
ここで、この光コネクタでは、光ファイバ心線の突出部に特定の方向に向けてたわみを形成するための凸部がファイバ固定部とケーブル固定部との間から突出されている。従って、上述のように、ケーブル固定部をファイバ固定部に近づけて光ファイバ心線の突出部の一部にたわみを形成する場合でも、この凸部によってたわみの形成方向を特定の方向（上側）に規定することができる。これにより、たわみが周囲のコネクタ構造部（例えば、ケーブル固定部から延出され、光ファイバ心線の突出部を下側から支持する延出支持部）と干渉することを防止することができるので、所望の大きさのたわみを形成することができる。
【００３３】
また、前記課題を解決するために、請求項９に記載の光コネクタは、内蔵光ファイバを有するフェルールと、前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、前記フェルール及び前記ファイバ固定部と別体に構成され、前記光ファイバケーブルの外皮部と固定されるケーブル固定部と、前記ケーブル固定部から前記ファイバ固定部に向けて延出されると共に、前記光ファイバ心線の突出部と接触されて前記光ファイバ心線の突出部に特定の方向に向けてたわみを形成し得る変形状態を取り得る可動片と、前記ファイバ固定部に対して前記ケーブル固定部を固定支持するための固定支持部と、前記固定支持部に設けられ、前記ケーブル固定部が前記ファイバ固定部側に移動されることに伴って前記可動片と接触されて前記可動片を前記変形状態とする接触部と、を備えている。
【００３４】
この光コネクタは、例えば、次の要領で光ファイバケーブルと固定される。すなわち、先ず、光ファイバケーブルの外皮部にケーブル固定部を固定した状態で、ケーブル固定部をファイバ固定部に近づけて、光ファイバケーブルの外皮部の端部から突出された光ファイバ心線の突出部をファイバ固定部の内部に形成された溝に挿入する。
【００３５】
次いで、この状態からさらにケーブル固定部をファイバ固定部に近づけると、可動片が接触部と接触することによって変形された状態となる。そして、これにより、この可動片が光ファイバ心線の突出部の一部を押し上げるので、光ファイバ心線の突出部の一部にたわみが形成される。
【００３６】
そして、光ファイバにたわみが形成された状態で、ファイバ固定部によって光ファイバ心線の突出部を内蔵光ファイバと固定し、さらに、固定支持部によってファイバ固定部に対してケーブル固定部を固定支持する。以上の要領で、光コネクタは、光ファイバケーブルと固定される。
【００３７】
このように、この光コネクタによれば、ケーブル固定部をファイバ固定部に近づけた場合に、可動片によって光ファイバ心線の突出部の一部にたわみを形成することができると共に、このたわみの形成方向を特定の方向（上側）に規定することができる。これにより、たわみが周囲のコネクタ構造部（この場合、ケーブル固定部から延出され、光ファイバ心線の突出部を下側から支持する延出支持部としての機能も有する可動片）と干渉することを防止することができるので、所望の大きさのたわみを形成することができる。
【００３８】
また、前記課題を解決するために、請求項１０に記載の光コネクタは、内蔵光ファイバを有するフェルールと、前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、前記フェルール及び前記ファイバ固定部と別体に構成され、前記光ファイバケーブルの外皮部と固定されるケーブル固定部と、前記ファイバ固定部に対して前記ケーブル固定部を固定支持するための固定支持部と、前記固定支持部に設けられると共に、前記光ファイバ心線の突出部と接触されて前記光ファイバ心線の突出部に特定の方向に向けてたわみを形成し得る変形状態を取り得る可動片と、を備えている。
【００３９】
この光コネクタは、例えば、次の要領で光ファイバケーブルと固定される。すなわち、先ず、光ファイバケーブルの外皮部にケーブル固定部を固定した状態で、ケーブル固定部をファイバ固定部に近づけて、光ファイバケーブルの外皮部の端部から突出された光ファイバ心線の突出部をファイバ固定部の内部に形成された溝に挿入する。
【００４０】
そして、ケーブル固定部が固定支持部によってファイバ固定部に対して固定支持される位置までケーブル固定部をファイバ固定部に近づけると共に、このときに可動片を変形状態とする。これにより、この可動片が光ファイバ心線の突出部の一部を押し上げるので、光ファイバ心線の突出部にたわみが形成された状態で内蔵光ファイバの後端と光ファイバ心線の先端とが突き当てられる。
【００４１】
そして、光ファイバ心線の突出部の一部にたわみが形成された状態で、ファイバ固定部によって光ファイバ心線の突出部を内蔵光ファイバと固定し、さらに、固定支持部によってケーブル固定部をファイバ固定部に対して固定支持する。以上の要領で、光コネクタは、光ファイバケーブルと固定される。
【００４２】
このように、この光コネクタによれば、上述のように、ケーブル固定部をファイバ固定部に近づけた場合に、可動片によって光ファイバ心線の突出部の一部にたわみを形成することができると共に、このたわみの形成方向を特定の方向（上側）に規定することができる。これにより、たわみが周囲のコネクタ構造部（例えば、ケーブル固定部から延出され、光ファイバ心線の突出部を下側から支持する延出支持部）と干渉することを防止することができるので、所望の大きさのたわみを形成することができる。
【００４３】
また、前記課題を解決するために、請求項１１に記載の光コネクタは、内蔵光ファイバを有するフェルールと、前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、前記フェルール及び前記ファイバ固定部と別体に構成され、前記光ファイバケーブルの外皮部と固定されるケーブル固定部と、前記溝の中心軸に対して偏芯した位置に中心軸を有すると共に前記溝と連通するガイド孔を有し、前記ファイバ固定部に対して前記ケーブル固定部を固定支持するための固定支持部と、を備えている。
【００４４】
この光コネクタは、例えば、次の要領で光ファイバケーブルと固定される。すなわち、先ず、光ファイバケーブルの外皮部にケーブル固定部を固定した状態で、ケーブル固定部をファイバ固定部に近づけて、光ファイバケーブルの外皮部の端部から突出された光ファイバ心線の突出部を固定支持部のガイド孔に挿入した後にファイバ固定部の内部に形成された溝に挿入する。
【００４５】
次いで、内蔵光ファイバの後端と光ファイバ心線の先端とが突き当てられて光ファイバ心線の突出部にたわみが形成されるまで、ケーブル固定部をファイバ固定部に近づける。そして、光ファイバにたわみが形成された状態で、ファイバ固定部によって光ファイバ心線の突出部を内蔵光ファイバと固定し、さらに、固定支持部によってケーブル固定部をファイバ固定部に対して固定支持する。以上の要領で、光コネクタは、光ファイバケーブルと固定される。
【００４６】
ここで、この光コネクタでは、ガイド孔が溝の中心軸に対して偏芯した位置に中心軸を有している。従って、上述のように、ケーブル固定部をファイバ固定部に近づけたときには、このガイド孔の中心軸が溝の中心軸に対して偏芯した位置に設定されていることよって光ファイバ心線の突出部の一部にたわみを形成することができると共に、このたわみの形成方向を特定の方向（上側）に規定することができる。これにより、たわみが周囲のコネクタ構造部（例えば、ケーブル固定部から延出され、光ファイバ心線の突出部を下側から支持する延出支持部）と干渉することを防止することができるので、所望の大きさのたわみを形成することができる。
【発明の効果】
【００４７】
以上詳述したように、本発明によれば、所望の大きさのたわみを形成することができる。
【図面の簡単な説明】
【００４８】
【図１】本発明の第一実施形態に係る光コネクタ用取付補助具を用いて光コネクタに光ファイバを挿入する様子を示す図である。
【図２】図１の光コネクタ用取付補助具を用いて光ファイバの先端部に光コネクタを固定した状態を示す図である。
【図３】図１に示される光コネクタの平面断面図である。
【図４】光ファイバの突き当て力とたわみ長との関係を示す図である。
【図５】光ファイバの突き当て力とたわみ長との関係を示す図である。
【図６】本発明の第二実施形態に係る光コネクタ用取付補助具を用いて光ファイバの先端部に光コネクタを固定した状態を示す図である。
【図７】本発明の第二実施形態に係る光コネクタ用取付補助具の変形例を示す図である。
【図８】本発明の第三実施形態に係る光コネクタに光ファイバケーブルを固定した状態を示す図である。
【図９】図８に示される光コネクタに光ファイバケーブルを固定する順序を示す図である。
【図１０】図８に示されるファイバ固定部に光ファイバ心線を固定する順序を示す図である。
【図１１】本発明の第三実施形態に係る光コネクタの変形例を示す図である。
【図１２】本発明の第四実施形態に係る光コネクタに光ファイバケーブルを固定した状態を示す図である。
【図１３】図１２に示される光コネクタに光ファイバケーブルを固定する順序を示す図である。
【図１４】本発明の第五実施形態に係る光コネクタに光ファイバケーブルを固定した状態を示す図である。
【図１５】図１４に示される光コネクタに光ファイバケーブルを固定する順序を示す図である。
【図１６】本発明の第六実施形態に係る光コネクタに光ファイバケーブルを固定する順序を示す図である。
【図１７】本発明の参考例に係る光コネクタ用取付補助具を示す図である。
【図１８】本発明の参考例に係る光コネクタ用取付補助具を示す図である。
【発明を実施するための形態】
【００４９】
［第一実施形態］
はじめに、本発明の第一実施形態について説明する。
【００５０】
図１，図２に示される本発明の第一実施形態に係る光コネクタ用取付補助具１０は、光ファイバの先端部に光コネクタを固定するためのものであって、光コネクタセット部１２と、ファイバガイド部１４（たわみ形成部）と、スライド支持部１６（ファイバ仮固定部）とを備えている。
【００５１】
光コネクタセット部１２は、光コネクタ３０をセットするためのものであり、その表面には、光コネクタ３０を位置決めするための位置決め突起１２Ａや、光コネクタ３０を保持するための保持爪１２Ｂ等が形成されている。
【００５２】
ファイバガイド部１４は、光コネクタセット部１２にセットされる光コネクタ３０の軸方向に光コネクタセット部１２と並んで設けられている。このファイバガイド部１４には、光コネクタ３０の軸方向に沿って一対のガイド壁１７が平行して形成されており、この一対のガイド壁１７の間には、断面Ｖ字状のファイバガイド面１７Ａが形成されている。
【００５３】
スライド支持部１６は、ファイバガイド部１４に対する光コネクタセット部１２と反対側に設けられている。このスライド支持部１６の表面には、平面状のスライド支持面１６Ａが形成されており、このスライド支持面１６Ａには、例えば、後述する光ファイバ５０の先端部における裸ファイバ５０Ｂの長さ（端末処理長）を確認するための目盛り１６Ｂが付されている。なお、この目盛り１６Ｂは、後述する光ファイバ５０の押し込み量の目安として用いても良い。
【００５４】
また、上述のファイバガイド面１７Ａの長手方向中間部（長手方向中央部よりもスライド支持部１６側）には、凸部１８が形成されている。この凸部１８は、図１に示されるように、ファイバガイド面１７Ａの幅方向中央部に設けられると共に、その高さは、図２に示されるように、光コネクタセット部１２にセットされた光コネクタ３０の中心軸Ａ１よりも高く設定されている。なお、光コネクタ３０の中心軸Ａ１は、後述する溝４３の中心軸と一致するものである。
【００５５】
さらに、図１に示されるように、各ガイド壁１７の突出端は、円弧部１７Ｂとされており、この円弧部１７Ｂは、ガイド壁１７の突出方向（ファイバガイド面１７Ａの向く方向であって、この場合、上側）に凸をなす円弧状に形成されている。
【００５６】
また、本実施形態において、この光コネクタ用取付補助具１０は、現在、広く普及している外径が０．９ｍｍの光ファイバ（被覆の材料はナイロン（登録商標）又はＰＶＣ）用とされており、ファイバガイド部１４の軸方向に沿った長さが２０ｍｍ以上に設定されている。
【００５７】
光コネクタ３０は、図３に示されるように、所謂、メカニカル接続型とされており、プラグ３２と、スプリング３３と、フレーム３４と、支持部材３５と、スライダ３６とを有して構成されている。
【００５８】
プラグ３２は、フェルール３７及びファイバ固定部３８を有して構成されている。フェルール３７は、内蔵光ファイバ３９を有しており、後述するファイバ固定部３８の基板４０に一体に組み付けられている。
【００５９】
ファイバ固定部３８は、基板４０と、一対の蓋部材４１と、押圧部材４２とを有して構成されている。基板４０の表面部には、光コネクタ３０の軸方向に沿って断面Ｖ字状の溝４３が形成されており、この溝４３には、上述の内蔵光ファイバ３９の後端側が挿入されている。
【００６０】
一対の蓋部材４１は、溝４３の長手方向に並んで配置されると共に、それぞれこの溝４３が形成された基板４０の表面部を覆う大きさ及び形状で構成されて、この基板４０の表面部と対向して設けられている。また、この一対の蓋部材４１は、押圧部材４２に形成された一対の押圧片４２Ａによって基板４０側にそれぞれ押圧されている。
【００６１】
なお、基板４０及び一対の蓋部材４１には、図１，図２に示される楔４４に形成された凸部を挿入可能な凹部（いずれも不図示）が形成されている。そして、この凹部に凸部を挿入することで押圧部材４２の押圧力に抗して基板４０から一対の蓋部材４１を離間させることが可能となっている。
【００６２】
フレーム３４は、プラグ３２を軸方向にスライド可能に収納しており、スプリング３３は、フレーム３４の内部に設けられて、フレーム３４に対してプラグ３２を先端側に付勢している。また、支持部材３５は、フレーム３４の外周部に組み付けられており、スライダ３６は、支持部材３５の外側に設けられると共に、この支持部材３５にスライド可能に支持されている。
【００６３】
次に、この光コネクタ用取付補助具１０を用いて光ファイバの先端部に光コネクタを固定する方法と併せて、その作用及び効果を説明する。
【００６４】
先ず、図１に示されるように、光ファイバ５０の先端部５０Ａにおける先端側の被覆を除去して裸ファイバ５０Ｂを露出させると共に、この裸ファイバ５０Ｂの先端を切断する。また、位置決め突起１２Ａで光コネクタ３０を位置決めすると共に、保持爪１２Ｂで光コネクタ３０を保持することによって、光コネクタセット部１２に光コネクタ３０をセットする。
【００６５】
そして、光ファイバ５０の先端部５０Ａをファイバガイド面１７Ａによってガイドさせながら、光ファイバ５０を光コネクタセット部１２側にスライドさせて、この光ファイバ５０の先端部５０Ａを光コネクタ３０の内部の溝４３に挿入する。
【００６６】
次いで、図２に示されるように、光ファイバ５０の先端部５０Ａよりも後端側５０Ｃをスライド支持面１６Ａ上に沿わせた状態とし、内蔵光ファイバ３９の後端と光ファイバ５０の先端とが突き当てられてファイバガイド面１７Ａ上において光ファイバ５０にたわみ５２が形成されるまで、光ファイバ５０の後端側５０Ｃをスライド支持面１６Ａ上にて光コネクタセット部１２側にスライドさせる。なお、このとき、把持具や指等の把持部１９により光ファイバ５０の後端側５０Ｃをスライドさせる。
【００６７】
そして、光ファイバ５０にたわみ５２が形成された状態で、楔４４を光コネクタ３０から取り外す。これにより、図３に示されるように、押圧部材４２によって蓋部材４１が基板４０側に押圧されて光ファイバ５０の先端部５０Ａがファイバ固定部３８に固定される。以上の要領で光ファイバ５０の先端部５０Ａに光コネクタ３０を固定することができる。
【００６８】
ここで、この光コネクタ用取付補助具１０において、ファイバガイド面１７Ａの長手方向中間部には、凸部１８が形成されている。そして、この凸部１８の高さは、光コネクタ３０の中心軸Ａ１よりも高く設定されている。従って、上述のように、ファイバガイド面１７Ａ上において光ファイバ５０にたわみ５２を形成する場合でも、この凸部１８によってたわみ５２の形成方向をファイバガイド面１７Ａから離間する方向（上側）に規定することができる。これにより、たわみ５２がファイバガイド面１７Ａと干渉することを防止することができるので、所望の大きさのたわみ５２を形成することができる。
【００６９】
この結果、光ファイバ５０と内蔵光ファイバ３９との突き当て力を適切な値に調節することができるので、突き当て力が不足して光学特性が悪化したり、突き当て力が過大なことに起因して光ファイバ５０や内蔵光ファイバ３９に欠け等が生じたりすることを防止することができる。
【００７０】
また、この光コネクタ用取付補助具１０によれば、ファイバガイド面１７Ａに凸部１８を設けたことにより、光ファイバ５０に下側にたわむように癖が付いていた場合や、光ファイバ５０を後方上側から溝４３に挿入する場合や、作業者によって作業の仕方が異なる場合など、いずれの場合でも、ファイバガイド面１７Ａから離間する方向（上側）にたわみ５２を形成することができる。
【００７１】
しかも、この光コネクタ用取付補助具１０によれば、各ガイド壁１７の突出端は、ガイド壁１７の突出方向に凸をなす円弧部１７Ｂとして構成されている。従って、作業者は、この円弧部１７Ｂを利用して、たわみ５２が適正な大きさに形成されているか目視確認することができる。
【００７２】
ところで、現在、広く普及している外径が０．９ｍｍの光ファイバを用いた場合（特に、被覆の材料がナイロン（登録商標）の場合）に、ファイバガイド部１４の軸方向に沿った長さが２０ｍｍ未満に設定されていると、次の問題がある。
【００７３】
ここで、図４，図５には、現在、広く普及している、外径が０．９ｍｍの光ファイバ（被覆の材料はナイロン（登録商標）又はＰＶＣ）、及び、外径が０．２５ｍｍの光ファイバについて、光ファイバの突き当て力とたわみ長との関係が示されている。なお、この図４，図５の測定結果は、光ファイバの押し込み量を共通にして測定したものである。
【００７４】
これらの図に示されるように、現在、広く普及している外径が０．９ｍｍの光ファイバ（被覆の材料はナイロン（登録商標））を用いた場合、ファイバガイド部１４の軸方向に沿った長さが２０ｍｍ未満に設定されていると、たわみ５２の曲率が大き過ぎるため、光ファイバ５０と内蔵光ファイバ３９との突き当て力が２．５Ｎを上回り、突き当て力が過大となる。そして、この場合には、光ファイバ５０と内蔵光ファイバ３９との突き当て力が過大となり、光ファイバ５０や内蔵光ファイバ３９に欠け等が生じる。
【００７５】
これに対し、この光コネクタ用取付補助具１０によれば、ファイバガイド部１４の軸方向に沿った長さが２０ｍｍ以上に設定されているので、上述の０．９ｍｍの光ファイバ（被覆の材料はナイロン（登録商標））を用いた場合でも、光ファイバ５０と内蔵光ファイバ３９との突き当て力を適切な値とすることができ、これにより、光ファイバ５０や内蔵光ファイバ３９に欠け等が生じることを抑制することができる。
【００７６】
なお、上述の通り、外径が０．９ｍｍの光ファイバ（被覆の材料はナイロン（登録商標））を用いた場合には、ファイバガイド部１４の軸方向に沿った長さが２０ｍｍ以上に設定されている必要があるが、製造誤差や被覆の材料であるナイロン（登録商標）の種類によっては、この光ファイバよりももっと剛性の高い光ファイバも想定される。従って、この場合には、余裕をみて、ファイバガイド部１４の軸方向に沿った長さが２５ｍｍ以上に設定されていても良い。
【００７７】
一方、図５に示されるように、現在、広く普及している外径が０．２５ｍｍの光ファイバを用いた場合に、ファイバガイド部１４の軸方向に沿った長さが３５ｍｍを上回って設定されていると、たわみ５２の曲率が小さ過ぎるため、光ファイバ５０と内蔵光ファイバ３９との間のグリスの粘度や、光ファイバ５０と基板４０との摩擦力等の影響により、光ファイバ５０の先端まで突き当て力が伝わらず、光ファイバ５０と内蔵光ファイバ３９との突き当て力が０．０３Ｎを下回り、突き当て力が不足する。そして、この場合には、両ファイバの端面の間隔が開き、所望の光学特性を得られない場合がある。
【００７８】
従って、上述のように、外径が０．９ｍｍであっても通常の光ファイバよりももっと剛性の高い光ファイバを用いる場合や、現在、広く普及している外径が０．２５ｍｍの光ファイバを用いる場合には、ファイバガイド部１４の軸方向に沿った長さが２５ｍｍ以上３５ｍｍ以下に設定されていても良い。
【００７９】
このように構成されていると、外径が０．９ｍｍであっても通常の光ファイバよりももっと剛性の高い光ファイバを用いる場合や、現在、広く普及している外径が０．２５ｍｍの光ファイバを用いる場合でも、光ファイバ５０と内蔵光ファイバ３９との突き当て力を適切な値とすることができ、これにより、光ファイバ５０や内蔵光ファイバ３９に欠け等が生じたり、光ファイバ５０と内蔵光ファイバ３９との突き当て力が不足して所望の光学特性を得られなくなったりすることを抑制することができる。
【００８０】
なお、本実施形態では、凸部１８の高さが光コネクタセット部１２にセットされた光コネクタ３０の中心軸Ａ１よりも高く設定されていたが、この凸部１８によってたわみ５２の形成方向をファイバガイド面１７Ａから離間する方向（上側）に規定することができれば、凸部１８の高さが光コネクタセット部１２にセットされた光コネクタ３０の中心軸Ａ１と同じ位置に設定されていても良い。
【００８１】
［第二実施形態］
次に、本発明の第二実施形態について説明する。
【００８２】
図６に示される本発明の第二実施形態に係る光コネクタ用取付補助具２０は、上述の本発明の第一実施形態に係る光コネクタ用取付補助具１０に対し、次の如く構成が変更されている。
【００８３】
すなわち、ファイバガイド部１４は、への字状に屈曲されており、これにより、スライド支持面１６Ａは、光コネクタセット部１２と反対側を向くように光コネクタ３０の中心軸Ａ１（軸方向）に対して傾斜されている（傾斜角度θ）。
【００８４】
次に、この光コネクタ用取付補助具２０を用いて光ファイバの先端部に光コネクタを固定する方法と併せて、その作用及び効果を説明する。
【００８５】
先ず、上述の本発明の第一実施形態と同様に、光コネクタセット部１２に光コネクタ３０をセットした状態で、光ファイバ５０の先端部５０Ａを光コネクタ３０の内部の溝４３に挿入する（図１，図３参照）。
【００８６】
次いで、図６に示されるように、光ファイバ５０の後端側５０Ｃをスライド支持面１６Ａ上に沿わせた状態とし、内蔵光ファイバ３９の後端と光ファイバ５０の先端とが突き当てられてファイバガイド面１７Ａ上において光ファイバ５０にたわみ５２が形成されるまで、光ファイバ５０の後端側５０Ｃをスライド支持面１６Ａ上にて光コネクタセット部１２側にスライドさせる。
【００８７】
そして、光ファイバ５０にたわみ５２が形成された状態で、楔４４を光コネクタ３０から取り外す。これにより、押圧部材４２によって蓋部材４１が基板４０側に押圧されて光ファイバ５０の先端部５０Ａがファイバ固定部３８に固定される（図３参照）。以上の要領で光ファイバ５０の先端部５０Ａに光コネクタ３０を固定することができる。
【００８８】
ここで、この光コネクタ用取付補助具２０において、上述のスライド支持面１６Ａは、光コネクタセット部１２と反対側を向くように光コネクタ３０の中心軸Ａ１に対して傾斜されている（傾斜角度θ）。従って、上述のように、ファイバガイド面１７Ａ上において光ファイバ５０にたわみ５２を形成する場合でも、このスライド支持面１６Ａの傾斜によってたわみ５２の形成方向をファイバガイド面１７Ａから離間する方向（上側）に規定することができる。これにより、たわみ５２がファイバガイド面１７Ａと干渉することを防止することができるので、所望の大きさのたわみ５２を形成することができる。
【００８９】
この結果、光ファイバ５０と内蔵光ファイバ３９との突き当て力を適切な値に調節することができるので、突き当て力が不足して光学特性が悪化したり、突き当て力が過大なことに起因して光ファイバ５０や内蔵光ファイバ３９に欠け等が生じたりすることを防止することができる。
【００９０】
また、この光コネクタ用取付補助具２０によれば、スライド支持面１６Ａを傾斜させることにより、光ファイバ５０に下側にたわむように癖が付いていた場合や、光ファイバ５０を後方上側から溝４３に挿入する場合や、作業者によって作業の仕方が異なる場合など、いずれの場合でも、ファイバガイド面１７Ａから離間する方向（上側）にたわみ５２を形成することができる。
【００９１】
なお、本実施形態では、ファイバガイド部１４がへの字状に屈曲されることによって、スライド支持面１６Ａが光コネクタセット部１２と反対側を向くように光コネクタ３０の中心軸Ａ１に対して傾斜されていたが、図７に示されるように、ファイバガイド部１４が直線状に形成されたまま、スライド支持面１６Ａが光コネクタセット部１２と反対側を向くように光コネクタ３０の中心軸Ａ１に対して傾斜されていても良い。
【００９２】
［第三実施形態］
次に、本発明の第三実施形態について説明する。
【００９３】
図８に示される本発明の第三実施形態に係る光コネクタ６０は、後述する光ファイバケーブル１２０の先端部に取り付けられるものであり、プラグ６２と、ケーブル固定部材６４と、フレーム６６と、固定支持部としての収納部材６８とを主要な構成として備えている。
【００９４】
プラグ６２は、フェルール７０及びファイバ固定部７２を有して構成されている。フェルール７０は、内蔵光ファイバ７４を有しており、後述するファイバ固定部７２の基板７６に一体に組み付けられている。
【００９５】
ファイバ固定部７２は、所謂、メカニカルスプライス方式とされており、基板７６と、一対の蓋部材７８と、押圧部材８０とを有して構成されている。基板７６の表面部には、光コネクタ６０の軸方向に沿って溝８２が形成されており、この溝８２には、上述の内蔵光ファイバ７４の後端側が挿入されている。
【００９６】
一対の蓋部材７８は、溝８２の長手方向に並んで配置されると共に、それぞれこの溝８２が形成された基板７６の表面部を覆う大きさ及び形状で構成されて、この基板７６の表面部と対向して設けられている。また、この一対の蓋部材７８は、押圧部材８０によって基板７６側にそれぞれ押圧されている。
【００９７】
なお、この光コネクタ６０では、図１０に示されるように、この光コネクタ６０に一体部品として備えられるか又は別体の治具とされた楔８４を挿入可能な凹部８６が基板７６及び一対の蓋部材７８に形成されている。そして、この凹部８６に楔８４を挿入することで基板７６から一対の蓋部材７８を離間させることが可能となっている。
【００９８】
図８に示されるように、ケーブル固定部材６４は、プラグ６２及びフレーム６６と別体に構成されており、後述する光ファイバケーブル１２０の外皮部１２４を把持するケーブル固定部としての一対の把持部８８と、延出支持部９０とを有して構成されている。延出支持部９０は、光ファイバ心線１２２の突出部１２２Ａを下側から支持するためのものであり、一対の把持部８８の一方からファイバ固定部７２側に向けて延出されている。また、この延出支持部９０の先端には、後述する蓋１０８側に向けて凸部９２が形成されている。この凸部９２の高さは、ファイバ固定部７２の中心軸Ａ２（溝８２の中心軸）よりも高く設定されている。
【００９９】
収納部材６８には、フレーム６６側に嵌合部９４が形成されており、この嵌合部９４がフレーム６６の収納部材６８側と嵌合されることにより、フレーム６６と収納部材６８とは、互いに一体に組み付けられている。
【０１００】
フレーム６６の内部には、上述のファイバ固定部７２が収納されており、このファイバ固定部７２に一体に設けられたフェルール７０は、フレーム６６の先端側に形成された孔部９６を通じて外部に突出されている。一方、収納部材６８のフレーム６６側には、溝８２と連通すると共にケーブル固定部材６４側に向かうに従って拡径するガイド孔１００が形成されている。
【０１０１】
また、上述の基板７６及び蓋部材７８には、拡径部１０２が形成されており、この拡径部１０２と嵌合部９４との間には、スプリング１０４が圧縮状態で収納されている。そして、プラグ６２は、このスプリング１０４によって光コネクタ６０の先端側に付勢されている。
【０１０２】
また、上述の収納部材６８は、収納室１０６Ａを有する本体部１０６と、この収納室１０６Ａを開閉する蓋１０８とを有している。蓋１０８は、その先端側が本体部１０６に回動可能に連結されており、収納室１０６Ａを開放する開状態（図９上図参照）と、収納室１０６Ａを閉鎖する閉状態（図９下図参照）とを取り得るようになっている。また、蓋１０８の後端側には、ケーブル固定部材６４の抜けを防止するための抜止部１１０が形成されている。
【０１０３】
なお、図示しないが、収納部材６８には、ケーブル固定部材６４のファイバ固定部７２側への移動を規制するための規制構造や、蓋１０８を閉状態に保持するための保持構造が備えられている。
【０１０４】
光ファイバケーブル１２０は、光ファイバ心線１２２と、この光ファイバ心線１２２を被覆する外皮部１２４（シースや抗張力体）とを有している。また、光ファイバケーブル１２０の先端側では、上述の外皮部１２４が切除されることにより、外皮部１２４の端部から光ファイバ心線１２２の一部が突出部１２２Ａとして突出されている。
【０１０５】
次に、この光コネクタ６０を光ファイバの先端部に固定する方法と併せて、その作用及び効果を説明する。
【０１０６】
先ず、図９の上図に示されるように、光ファイバケーブル１２０の先端側の外皮部１２４を除去し、光ファイバ心線１２２を露出させる。続いて、この光ファイバケーブル１２０の外皮部１２２の先端側を一対の挟持部８８で把持して、光ファイバケーブル１２０にケーブル固定部材６４を固定する。さらに、光ファイバケーブル１２０の外皮部１２４の端部から突出された光ファイバ心線１２２の突出部１２２Ａ（露出部）の先端側の被覆を除去して裸ファイバ１２２Ｂを露出させ、この裸ファイバ１２２Ｂの先端を切断する。
【０１０７】
そして、蓋１０８を開状態とし、ケーブル固定部材６４をファイバ固定部７２に近づけて、光ファイバ心線１２２の突出部１２２Ａの先端側をガイド孔１００を通じて溝８２に挿入すると共に、ケーブル固定部材６４を収納室１０６Ａに配置する（図９中図参照）。
【０１０８】
次いで、内蔵光ファイバ７４の後端と光ファイバ心線１２２の先端とが突き当てられて光ファイバ心線１２２の突出部１２２Ａにたわみ１２６が形成されるまで、ケーブル固定部材６４をファイバ固定部７２に近づける（図９下図参照）。
【０１０９】
そして、光ファイバ心線１２２の突出部１２２Ａにたわみ１２６が形成された状態で、図１０に示されるように、楔８４をファイバ固定部７２から取り外す。これにより、押圧部材８０によって蓋部材７８が基板７６側に押圧されて光ファイバ心線１２２の突出部１２２Ａがファイバ固定部７２に固定される。
【０１１０】
次いで、蓋１０８を閉状態として収納部材６８にケーブル固定部材６４を収納し、これにより、ファイバ固定部７２に対してケーブル固定部材６４を固定支持する。以上の要領で、光コネクタ６０は、光ファイバケーブル１２０と固定される。
【０１１１】
ここで、この光コネクタ６０では、図８に示されるように、ファイバ固定部７２とケーブル固定部材６４との間に凸部９２が形成されている。そして、この凸部９２の高さは、ファイバ固定部７２の中心軸Ａ２よりも高く設定されている。従って、上述のように、ケーブル固定部材６４をファイバ固定部７２に近づけて光ファイバ心線１２２の突出部１２２Ａの一部にたわみ１２６を形成する場合でも、この凸部９２によってたわみ１２６の形成方向を特定の方向（上側）に規定することができる。これにより、たわみ１２６が周囲のコネクタ構造部（この場合、延出支持部９０）と干渉することを防止することができるので、所望の大きさのたわみ１２６を形成することができる。
【０１１２】
この結果、光ファイバ心線１２２と内蔵光ファイバ７４との突き当て力を適切な値に調節することができるので、突き当て力が不足して光学特性が悪化したり、突き当て力が過大なことに起因して光ファイバ心線１２２や内蔵光ファイバ７４に欠け等が生じたりすることを防止することができる。
【０１１３】
なお、本実施形態では、ケーブル固定部材６４に形成された延出支持部９０の先端に凸部９２が形成されていたが、図１１に示されるように、凸部９２は、収納部材６８の本体部１０６から突出されていても良い。
【０１１４】
このように構成されていると、光ファイバ心線１２２の突出部１２２Ａを溝８２に挿入する段階（図９上図参照）では、光ファイバ心線１２２の突出部１２２Ａがたわまないので、光ファイバ心線１２２の突出部１２２Ａを溝８２に容易に挿入することができる。
【０１１５】
また、この凸部９２は、光コネクタ６０の横方向（紙面表裏方向）に移動可能に構成されていても良い。そして、たわみ１２６を形成するときに凸部９２を光コネクタ６０の中心軸上に移動させて光ファイバ心線１２２の突出部１２２Ａの一部にたわみ１２６を形成し、ファイバ固定部７２によって光ファイバ心線１２２と内蔵光ファイバ７４とを突き合わせ接続した後に、凸部９２を光コネクタ６０の中心軸上から外れた位置に移動させると共にケーブル固定部材６４を後退させることによって、たわみ１２６を解消させるようにしても良い。
【０１１６】
また、本実施形態では、凸部９２の高さがファイバ固定部７２の中心軸Ａ２よりも高く設定されていたが、この凸部９２によってたわみ１２６の形成方向を特定の方向（上側）に規定することができれば、凸部９２の高さがファイバ固定部７２の中心軸Ａ２と同じ位置に設定されていても良い。
【０１１７】
［第四実施形態］
次に、本発明の第四実施形態について説明する。
【０１１８】
図１２に示される本発明の第四実施形態に係る光コネクタ１３０は、上述の本発明の第三実施形態に係る光コネクタ６０に対し、次の如く構成が変更されている。
【０１１９】
すなわち、ケーブル固定部材６４には、一対の把持部８８の一方からファイバ固定部７２に向けて延出する可動片１３２が形成されている。この可動片１３２は、上述の延出支持部９０と同様に、光ファイバ心線１２２の突出部１２２Ａを下側から支持する機能を有している。また、この可動片１３２の先端には、蓋１０８側に突出する凸部１３４が形成されている。一方、収納部材６８の本体部１０６には、凸部１３４と同じ側に突出する接触部１３６が形成されている。この接触部１３６は、側面視にて山型に形成されている。
【０１２０】
そして、この光コネクタ１３０では、ケーブル固定部材６４がファイバ固定部７２側に移動されることに伴って可動片１３２が接触部１３６の傾斜面と接触し、これにより、可動片１３２が変形されて、この可動片１３２の凸部１３４がファイバ固定部７２の中心軸Ａ２よりも高い位置に位置されるようになっている。
【０１２１】
次に、この光コネクタ１３０を光ファイバの先端部に固定する方法と併せて、その作用及び効果を説明する。
【０１２２】
先ず、上述の本発明の第一実施形態と同様に、蓋１０８を開状態とすると共に、光ファイバケーブル１２０の外皮部１２４にケーブル固定部材６４を固定した状態とする（図１３上図参照）。
【０１２３】
そして、ケーブル固定部材６４をファイバ固定部７２に近づけて、光ファイバ心線１２２の突出部１２２Ａをガイド孔１００を通じて溝８２に挿入すると共に、ケーブル固定部材６４を収納室１０６Ａに配置する（図１３中図参照）。
【０１２４】
次いで、この状態からさらにケーブル固定部材６４をファイバ固定部７２に近づけると、可動片１３２が接触部１３６の傾斜面と接触することによって可動片１３２が変形された状態となり、可動片１３２の先端の凸部１３４がファイバ固定部７２の中心軸Ａ２よりも高い位置に位置される。そして、これにより、この可動片１４２１３２の先端の凸部１３４が光ファイバ心線１２２の突出部１２２Ａの一部を押し上げるので、光ファイバ心線１２２の突出部１２２Ａの一部にたわみ１２６が形成される（図１３下図参照）。
【０１２５】
そして、光ファイバ心線１２２にたわみ１２６が形成された状態で、楔８４をファイバ固定部７２から取り外す（図１０参照）。これにより、押圧部材８０によって蓋部材７８が基板７６側に押圧されて光ファイバ心線１２２の突出部１２２Ａがファイバ固定部７２に固定される。
【０１２６】
次いで、蓋１０８を閉状態として収納部材６８にケーブル固定部材６４を収納し、これにより、ファイバ固定部７２に対してケーブル固定部材６４を固定支持する。以上の要領で、光コネクタ１３０は、光ファイバケーブル１２０と固定される。
【０１２７】
このように、この光コネクタ１３０によれば、上述のように、ケーブル固定部材６４をファイバ固定部７２に近づけた場合に、可動片１３２によって光ファイバ心線１２２の突出部１２２Ａの一部にたわみ１２６を形成することができると共に、このたわみ１２６の形成方向を特定の方向（上側）に規定することができる。これにより、たわみ１２６が周囲のコネクタ構造部（この場合、延出支持部としての機能を有する可動片１３２）と干渉することを防止することができるので、所望の大きさのたわみ１２６を形成することができる。
【０１２８】
この結果、光ファイバ心線１２２と内蔵光ファイバ７４との突き当て力を適切な値に調節することができるので、突き当て力が不足して光学特性が悪化したり、突き当て力が過大なことに起因して光ファイバ心線１２２や内蔵光ファイバ７４に欠け等が生じたりすることを防止することができる。
【０１２９】
また、この光コネクタ１３０によれば、光ファイバ心線１２２の突出部１２２Ａを溝８２に挿入する段階（図１３上図参照）では、光ファイバ心線１２２の突出部１２２Ａがたわまないので、光ファイバ心線１２２の突出部１２２Ａを溝８２に容易に挿入することができる。
【０１３０】
なお、本実施形態では、可動片１３２が変形された場合に、可動片１３２の先端の凸部１３４がファイバ固定部７２の中心軸Ａ２よりも高い位置に位置されるように構成されていたが、この凸部１３４によってたわみ１２６の形成方向を特定の方向（上側）に規定することができれば、可動片１３２が変形された場合に、可動片１３２の先端の凸部１３４がファイバ固定部７２の中心軸Ａ２と同じ位置に位置されるように構成されていても良い。
【０１３１】
［第五実施形態］
次に、本発明の第五実施形態について説明する。
【０１３２】
図１４に示される本発明の第五実施形態に係る光コネクタ１４０は、上述の本発明の第三実施形態に係る光コネクタ６０に対し、次の如く構成が変更されている。
【０１３３】
すなわち、ケーブル固定部材６４には、一対の把持部８８の一方からプラグ６２側に向けて延出する延出支持部１４１が形成されている。また、収納部材６８の本体部１０６には、弾性を有する可動片１４２が形成されており、この可動片１４２の先端には、蓋１０８側に突出する凸部１４４が形成されている。また、この可動片１４２は、下側から力が加えられたときに凸部１４４がファイバ固定部７２の中心軸Ａ２よりも高い位置に位置されるように弾性変形可能な構成とされている。
【０１３４】
次に、この光コネクタ１４０を光ファイバの先端部に固定する方法と併せて、その作用及び効果を説明する。
【０１３５】
先ず、上述の本発明の第一実施形態と同様に、蓋１０８を開状態とすると共に、光ファイバケーブル１２０の外皮部１２４にケーブル固定部材６４を固定した状態とする（図１５上図参照）。
【０１３６】
そして、ケーブル固定部材６４をファイバ固定部７２に近づけて、光ファイバ心線１２２の突出部１２２Ａをガイド孔１００を通じて溝８２に挿入すると共に、ケーブル固定部材６４を収納室１０６Ａに配置する（図１５中図参照）。
【０１３７】
また、このときに可動片１４２に下側から力を加えて可動片１４２を弾性変形させ、可動片１４２の先端の凸部１４４をファイバ固定部７２の中心軸Ａ２よりも高い位置に位置させる。これにより、この可動片１４２の先端の凸部１４４が光ファイバ心線１２２の突出部１２２Ａの一部を押し上げるので、光ファイバ心線１２２の突出部１２２Ａにたわみ１２６が形成された状態で内蔵光ファイバ７４の後端と光ファイバ心線１２２の先端とが突き当てられる。
【０１３８】
そして、光ファイバ心線１２２にたわみ１２６が形成された状態で、楔８４をファイバ固定部７２から取り外す（図１０参照）。これにより、押圧部材８０によって蓋部材７８が基板７６側に押圧されて光ファイバ心線１２２の突出部１２２Ａがファイバ固定部７２に固定される。
【０１３９】
次いで、蓋１０８を閉状態として収納部材６８にケーブル固定部材６４を収納し、ファイバ固定部７２に対してケーブル固定部材６４を固定支持する。以上の要領で、光コネクタ１４０は、光ファイバケーブル１２０と固定される。
【０１４０】
このように、この光コネクタ１４０によれば、上述のように、ケーブル固定部材６４をファイバ固定部７２に近づけた場合に、可動片１４２によって光ファイバ心線１２２の突出部１２２Ａの一部にたわみ１２６を形成することができると共に、このたわみ１２６の形成方向を特定の方向（上側）に規定することができる。これにより、たわみ１２６が周囲のコネクタ構造部（この場合、延出支持部１４１）と干渉することを防止することができるので、所望の大きさのたわみ１２６を形成することができる。
【０１４１】
この結果、光ファイバ心線１２２と内蔵光ファイバ７４との突き当て力を適切な値に調節することができるので、突き当て力が不足して光学特性が悪化したり、突き当て力が過大なことに起因して光ファイバ心線１２２や内蔵光ファイバ７４に欠け等が生じたりすることを防止することができる。
【０１４２】
なお、本実施形態では、可動片１４２が下側から力を加えられて最も弾性変形された場合に、可動片１４２の先端の凸部１４４がファイバ固定部７２の中心軸Ａ２よりも高い位置に位置されるように構成されていたが、この凸部１４４によってたわみ１２６の形成方向を特定の方向（上側）に規定することができれば、可動片１４２が下側から力を加えられて最も弾性変形された場合に、可動片１４２の先端の凸部１４４がファイバ固定部７２の中心軸Ａ２と同じ位置に位置されるように構成されていても良い。
【０１４３】
また、蓋１０８を閉状態として収納部材６８にケーブル固定部材６４を収納した状態では、ケーブル固定部材６４が後退されてたわみ１２６が解消されるように構成されていても良い。このように構成されていると、たわみ１２６による光ファイバ心線１２２の光学特性の低下を防止することができる。
【０１４４】
［第六実施形態］
次に、本発明の第六実施形態について説明する。
【０１４５】
図１６に示される本発明の第六実施形態に係る光コネクタ１５０は、上述の本発明の第三実施形態に係る光コネクタ６０に対し、次の如く構成が変更されている。
【０１４６】
すなわち、ガイド孔１００は、ファイバ固定部７２の中心軸Ａ２（溝８２の中心軸）に対して蓋１０８側に偏芯した位置に中心軸Ａ３を有する構成とされている。
【０１４７】
次に、この光コネクタ１５０を光ファイバの先端部に固定する方法と併せて、その作用及び効果を説明する。
【０１４８】
先ず、上述の本発明の第一実施形態と同様に、蓋１０８を開状態とすると共に、光ファイバケーブル１２０の外皮部１２４にケーブル固定部材６４を固定した状態とする。また、ケーブル固定部材６４をファイバ固定部７２に近づけて、光ファイバ心線１２２の突出部１２２Ａをガイド孔１００に挿入した後に溝８２に挿入する。（図１６上図参照）。
【０１４９】
次いで、内蔵光ファイバ７４の後端と光ファイバ心線１２２の先端とが突き当てられて光ファイバ心線１２２の突出部１２２Ａにたわみ１２６が形成されるまで、ケーブル固定部材６４をファイバ固定部７２に近づける。
【０１５０】
そして、光ファイバ心線１２２にたわみ１２６が形成された状態で、楔８４をファイバ固定部７２から取り外す（図１０参照）。これにより、押圧部材８０によって蓋部材７８が基板７６側に押圧されて光ファイバ心線１２２の突出部１２２Ａがファイバ固定部７２に固定される。
【０１５１】
次いで、蓋１０８を閉状態として収納部材６８にケーブル固定部材６４を収納し、これにより、ファイバ固定部７２に対してケーブル固定部材６４を固定支持する。以上の要領で、光コネクタ１５０は、光ファイバケーブル１２０と固定される。
【０１５２】
ここで、この光コネクタ１５０では、ガイド孔１００がファイバ固定部７２の中心軸Ａ２に対して蓋１０８側に偏芯した位置に中心軸Ａ３を有している。従って、上述のように、ケーブル固定部材６４をファイバ固定部７２に近づけたときには、このガイド孔１００の中心軸Ａ３がファイバ固定部７２の中心軸Ａ２に対して偏芯した位置に設定されていることよって光ファイバ心線１２２の突出部１２２Ａの一部にたわみ１２６を形成することができると共に、このたわみ１２６の形成方向を特定の方向（上側）に規定することができる。これにより、たわみ１２６が周囲のコネクタ構造部（この場合、延出支持部９０）と干渉することを防止することができるので、所望の大きさのたわみ１２６を形成することができる。
【０１５３】
この結果、光ファイバ心線１２２と内蔵光ファイバ７４との突き当て力を適切な値に調節することができるので、突き当て力が不足して光学特性が悪化したり、突き当て力が過大なことに起因して光ファイバ心線１２２や内蔵光ファイバ７４に欠け等が生じたりすることを防止することができる。
【０１５４】
以上、本発明の一実施形態について説明したが、本発明は、上記に限定されるものでなく、上記以外にも、その主旨を逸脱しない範囲内において種々変形して実施可能であることは勿論である。
【０１５５】
なお、以下に本発明の参考例について説明する。
【０１５６】
［第一参考例］
図１７に示される本発明の第一参考例に係る光コネクタ用取付補助具１６０は、上述の本発明の第一実施形態に係る光コネクタ用取付補助具１０に対し、次の如く構成が変更されている。
【０１５７】
すなわち、ファイバガイド部１４には、円弧状のザグリ又はスリットからなる凹部１６２が形成されている。
【０１５８】
このように構成されていると、光ファイバ５０の一部にたわみ５２を形成する際に、この凹部１６２によって、たわみ５２を下側に形成することが許容されるので、所望の大きさのたわみ５２を形成することができる。
【０１５９】
［第二参考例］
図１８に示される本発明の第二参考例に係る光コネクタ用取付補助具１７０は、上述の本発明の第一実施形態に係る光コネクタ用取付補助具１０に対し、次の如く構成が変更されている。
【０１６０】
すなわち、ファイバガイド面１７Ａの幅が上述の本発明の第一実施形態よりも広く確保されており、光ファイバ５０にたわみ５２を形成する際に、たわみ５２を横方向に形成することが許容されるようになっている。
【０１６１】
このように構成されていても、所望の大きさのたわみ５２を形成することができる。
【符号の説明】
【０１６２】
１０，２０  光コネクタ用取付補助具
１２  光コネクタセット部
１４  ファイバガイド部
１６  スライド支持部
１６Ａ  スライド支持面
１７  ガイド壁
１７Ａ  ファイバガイド面
１７Ｂ  円弧部
１８  凸部
３０  光コネクタ
３９  内蔵光ファイバ
４３  溝
５０  光ファイバ
５０Ａ  光コネクタの先端部
５０Ｃ  光コネクタの先端部よりも後端側
６０  光コネクタ
６４  ケーブル固定部材
６８  収納部材（固定支持部）
７０  フェルール
７２  ファイバ固定部
７４  内蔵光ファイバ
８２  溝
９０  延出支持部
９２  凸部
１００  ガイド孔
１２０  光ファイバケーブル
１２２  光ファイバ心線
１２２Ａ  光ファイバ心線の突出部
１２４  光ファイバケーブルの外皮部
１３０  光コネクタ
１３２  可動片
１３４  凸部
１３６  接触部
１４０  光コネクタ
１４１  延出支持部
１４２  可動片
１４４  凸部
１５０  光コネクタ
【図１】
2011059137.tif 000003
【図２】
2011059137.tif 000004
【図３】
2011059137.tif 000005
【図４】
2011059137.tif 000006
【図５】
2011059137.tif 000007
【図６】
2011059137.tif 000008
【図７】
2011059137.tif 000009
【図８】
2011059137.tif 000010
【図９】
2011059137.tif 000011
【図１０】
2011059137.tif 000012
【図１１】
2011059137.tif 000013
【図１２】
2011059137.tif 000014
【図１３】
2011059137.tif 000015
【図１４】
2011059137.tif 000016
【図１５】
2011059137.tif 000017
【図１６】
2011059137.tif 000018
【図１７】
2011059137.tif 000019
【図１８】
2011059137.tif 000020
【手続補正書】
【提出日】平成22年8月3日(2010.8.3)
【手続補正１】
【補正対象書類名】明細書
【補正対象項目名】０００８
【補正方法】変更
【補正の内容】
【０００８】
前記課題を解決するために、請求項１に記載の光コネクタ用取付補助具は、光ファイバの先端部が挿入される光コネクタをセットするための光コネクタセット部と、前記光コネクタセット部にセットされる前記光コネクタの軸方向に前記光コネクタセット部と並んで設けられると共に、前記光コネクタセット部にセットされた前記光コネクタに前記光ファイバの先端部を挿入する際に前記光ファイバのたわみがその表側に形成されるたわみ形成部と、前記たわみ形成部に対する前記光コネクタセット部と反対側に前記たわみ形成部と並んで設けられると共に、前記光ファイバの先端部よりも後端側が保持されるファイバ仮固定部と、前記たわみ形成部に形成されると共に、前記光コネクタにおける光ファイバ挿入用の溝と同軸状の軸線を遮るように前記たわみ形成部の表側に突出された凸部と、を備えている。
【手続補正２】
【補正対象書類名】明細書
【補正対象項目名】０００９
【補正方法】変更
【補正の内容】
【０００９】
この光コネクタ用取付補助具によれば、例えば、次の要領で光ファイバの先端部に光コネクタを固定することができる。すなわち、先ず、光コネクタセット部に光コネクタをセットする。そして、この状態で、光ファイバの先端部をたわみ形成部によってガイドさせながら、光ファイバを光コネクタセット部側にスライドさせて、この光ファイバの先端部を光コネクタの内部の溝に挿入する。
【手続補正３】
【補正対象書類名】明細書
【補正対象項目名】００１０
【補正方法】変更
【補正の内容】
【００１０】
次いで、光ファイバの先端部よりも後端側をファイバ仮固定部で支持し、内蔵光ファイバの後端と光ファイバの先端とが突き当てられてたわみ形成部上において光ファイバにたわみが形成されるまで、光ファイバの先端部よりも後端側をファイバ仮固定部にて光コネクタセット部側にスライドさせる。そして、光ファイバにたわみが形成された状態で光ファイバの先端部に光コネクタを固定する。以上の要領で光ファイバの先端部に光コネクタを固定することができる。
【手続補正４】
【補正対象書類名】明細書
【補正対象項目名】００１１
【補正方法】変更
【補正の内容】
【００１１】
ここで、この光コネクタ用取付補助具において、たわみ形成部には、光コネクタにおける光ファイバ挿入用の溝と同軸状の軸線を遮るようにたわみ形成部の表側に突出された凸部が突出されている。従って、上述のように、たわみ形成部上において光ファイバにたわみを形成する場合でも、この凸部によってたわみの形成方向をたわみ形成部から離間する方向（上側）に規定することができる。これにより、たわみがたわみ形成部と干渉することを防止することができるので、所望の大きさのたわみを形成することができる。
【手続補正５】
【補正対象書類名】明細書
【補正対象項目名】００１２
【補正方法】変更
【補正の内容】
【００１２】
請求項２に記載の光コネクタ用取付補助具は、光ファイバの先端部が挿入される光コネクタをセットするための光コネクタセット部と、前記光コネクタセット部にセットされる前記光コネクタの軸方向に前記光コネクタセット部と並んで設けられると共に、前記光コネクタセット部にセットされた前記光コネクタに前記光ファイバの先端部を挿入する際に前記光ファイバのたわみがその表側に形成されるたわみ形成部と、前記たわみ形成部に対する前記光コネクタセット部と反対側に前記たわみ形成部と並んで設けられると共に、前記光ファイバの先端部よりも後端側が保持されるファイバ仮固定部と、を備え、前記光コネクタセット部と前記ファイバ仮固定部とは、前記光コネクタセット部にセットされた前記光コネクタに挿入される前記光ファイバの先端部の中心軸と、前記ファイバ仮固定部に保持される前記光ファイバの先端部よりも後端側の中心軸とが前記たわみ形成部の表側に凸となる角度を成すように形成されている。
【手続補正６】
【補正対象書類名】明細書
【補正対象項目名】００１３
【補正方法】変更
【補正の内容】
【００１３】
この光コネクタ用取付補助具によれば、例えば、次の要領で光ファイバの先端部に光コネクタを固定することができる。すなわち、先ず、光コネクタセット部に光コネクタをセットする。そして、この状態で、光ファイバの先端部をたわみ形成部によってガイドさせながら、光ファイバを光コネクタセット部側にスライドさせて、この光ファイバの先端部を光コネクタの内部の溝に挿入する。
【手続補正７】
【補正対象書類名】明細書
【補正対象項目名】００１４
【補正方法】変更
【補正の内容】
【００１４】
次いで、光ファイバの先端部よりも後端側をファイバ仮固定部上に沿わせた状態とし、内蔵光ファイバの後端と光ファイバの先端とが突き当てられてたわみ形成部上において光ファイバにたわみが形成されるまで、光ファイバの先端部よりも後端側をファイバ仮固定部上にて光コネクタセット部側にスライドさせる。そして、光ファイバにたわみが形成された状態で光ファイバの先端部に光コネクタを固定する。以上の要領で光ファイバの先端部に光コネクタを固定することができる。
【手続補正８】
【補正対象書類名】明細書
【補正対象項目名】００１５
【補正方法】変更
【補正の内容】
【００１５】
ここで、この光コネクタ用取付補助具では、光コネクタセット部とファイバ仮固定部とは、光コネクタセット部にセットされた光コネクタに挿入される光ファイバの先端部の中心軸と、ファイバ仮固定部に保持される光ファイバの先端部よりも後端側の中心軸とがたわみ形成部の表側に凸となる角度を成すように形成されている。従って、上述のように、たわみ形成部上において光ファイバにたわみを形成する場合でも、この構成によってたわみの形成方向をたわみ形成部から離間する方向（上側）に規定することができる。これにより、たわみがたわみ形成部と干渉することを防止することができるので、所望の大きさのたわみを形成することができる。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
請求項３に記載の光コネクタ用取付補助具は、請求項１又は請求項２に記載の光コネクタ用取付補助具において、前記たわみ形成部の前記軸方向に沿った長さが２０ｍｍ以上とされた構成とされている。
【手続補正１２】
【補正対象書類名】明細書
【補正対象項目名】００１９
【補正方法】変更
【補正の内容】
【００１９】
現在、広く普及している外径が０．９ｍｍの光ファイバを用いた場合（特に、被覆の材料がナイロン（登録商標）の場合）に、たわみ形成部の軸方向に沿った長さが２０ｍｍ未満に設定されていると、たわみの曲率が大き過ぎるため、光ファイバと内蔵光ファイバとの突き当て力が過大となり、光ファイバや内蔵光ファイバに欠け等が生じる。
【手続補正１３】
【補正対象書類名】明細書
【補正対象項目名】００２０
【補正方法】変更
【補正の内容】
【００２０】
これに対し、この光コネクタ用取付補助具によれば、たわみ形成部の軸方向に沿った長さが２０ｍｍ以上に設定されているので、上述の０．９ｍｍの光ファイバを用いた場合でも、光ファイバと内蔵光ファイバとの突き当て力を適切な値とすることができ、これにより、光ファイバや内蔵光ファイバに欠け等が生じることを抑制することができる。
【手続補正１４】
【補正対象書類名】明細書
【補正対象項目名】００２１
【補正方法】変更
【補正の内容】
【００２１】
請求項４に記載の光コネクタ用取付補助具は、請求項３に記載の光コネクタ用取付補助具において、前記たわみ形成部の前記軸方向に沿った長さが２５ｍｍ以上３５ｍｍ以下とされた構成とされている。
【手続補正１５】
【補正対象書類名】明細書
【補正対象項目名】００２２
【補正方法】変更
【補正の内容】
【００２２】
上述の通り、外径が０．９ｍｍの光ファイバを用いた場合には、たわみ形成部の軸方向に沿った長さが２０ｍｍ以上に設定されている必要があるが、製造誤差や被覆の材料であるナイロン（登録商標）の種類によっては、この光ファイバよりももっと剛性の高い光ファイバも想定される。従って、この場合には、余裕をみて、たわみ形成部の軸方向に沿った長さが２５ｍｍ以上に設定されている必要がある。
【手続補正１６】
【補正対象書類名】明細書
【補正対象項目名】００２３
【補正方法】変更
【補正の内容】
【００２３】
一方、現在、広く普及している外径が０．２５ｍｍの光ファイバを用いた場合に、たわみ形成部の軸方向に沿った長さが３５ｍｍを上回って設定されていると、たわみの曲率が小さ過ぎるため、光ファイバと内蔵光ファイバとの突き当て力が不足し、所望の光学特性を得られない場合がある。
【手続補正１７】
【補正対象書類名】明細書
【補正対象項目名】００２４
【補正方法】変更
【補正の内容】
【００２４】
これに対し、この光コネクタ用取付補助具によれば、たわみ形成部の軸方向に沿った長さが２５ｍｍ以上３５ｍｍ以下に設定されているので、上述の外径が０．９ｍｍであっても通常の光ファイバよりももっと剛性の高い光ファイバを用いる場合や、外径が０．２５ｍｍの光ファイバを用いた場合でも、光ファイバと内蔵光ファイバとの突き当て力を適切な値とすることができ、これにより、光ファイバや内蔵光ファイバに欠け等が生じたり、光ファイバと内蔵光ファイバとの突き当て力が不足して所望の光学特性を得られなくなったりすることを抑制することができる。
なお、請求項５に記載のように、たわみ形成部には、光ファイバをガイドするためのファイバガイド面が設けられていると、光ファイバの先端部を光コネクタに挿入する際に好適である。
【手続補正１８】
【補正対象書類名】明細書
【補正対象項目名】００２５
【補正方法】変更
【補正の内容】
【００２５】
また、前記課題を解決するために、請求項６に記載の光コネクタの組立方法は、請求項５に記載の光コネクタ用取付補助具を用いて、前記光ファイバの先端部に前記光コネクタを固定する光コネクタの組立方法であって、前記光コネクタセット部に前記光コネクタをセットする工程と、前記光ファイバの先端部を前記たわみ形成部によってガイドさせながら、前記光ファイバを前記光コネクタセット部側にスライドさせて、前記光ファイバの先端部を前記光コネクタに挿入する工程と、前記光ファイバの先端部よりも後端側を前記ファイバ仮固定部で支持し、前記光コネクタの内蔵光ファイバの後端と前記光ファイバの先端とが突き当てられて前記たわみ形成部の表側において前記光ファイバにたわみが形成されるまで、前記光ファイバの先端部よりも後端側を前記ファイバ仮固定部で前記光コネクタに前記光ファイバが挿入されるようにスライドさせる工程と、前記光ファイバにたわみが形成された状態で前記光ファイバの先端部に前記光コネクタを固定する工程と、を備えている。
【手続補正１９】
【補正対象書類名】明細書
【補正対象項目名】００２６
【補正方法】変更
【補正の内容】
【００２６】
この光コネクタの組立方法によれば、請求項５に記載の光コネクタ用取付補助具を用いるので、上述のように、外径が０．９ｍｍの光ファイバを用いた場合でも、光ファイバと内蔵光ファイバとの突き当て力を適切な値とすることができ、これにより、光ファイバや内蔵光ファイバに欠け等が生じることを抑制することができる。
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】変更
【補正の内容】
【００２９】
また、前記課題を解決するために、請求項７に記載の光コネクタは、内蔵光ファイバを有するフェルールと、前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、前記フェルール及び前記ファイバ固定部と別体に構成され、前記光ファイバケーブルの外皮部と固定されるケーブル固定部と、前記ファイバ固定部に対して前記ケーブル固定部を固定支持するための固定支持部と、前記ファイバ固定部と前記ケーブル固定部との間から突出され、前記光ファイバ心線の突出部に特定の方向に向けてたわみを形成するための凸部と、を備えている。
【手続補正２３】
【補正対象書類名】明細書
【補正対象項目名】００３３
【補正方法】変更
【補正の内容】
【００３３】
また、前記課題を解決するために、請求項８に記載の光コネクタは、内蔵光ファイバを有するフェルールと、前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、前記フェルール及び前記ファイバ固定部と別体に構成され、前記光ファイバケーブルの外皮部と固定されるケーブル固定部と、前記ケーブル固定部から前記ファイバ固定部に向けて延出されると共に、前記光ファイバ心線の突出部と接触されて前記光ファイバ心線の突出部に特定の方向に向けてたわみを形成し得る変形状態を取り得る可動片と、前記ファイバ固定部に対して前記ケーブル固定部を固定支持するための固定支持部と、前記固定支持部に設けられ、前記ケーブル固定部が前記ファイバ固定部側に移動されることに伴って前記可動片と接触されて前記可動片を前記変形状態とする接触部と、を備えている。
【手続補正２４】
【補正対象書類名】明細書
【補正対象項目名】００３８
【補正方法】変更
【補正の内容】
【００３８】
また、前記課題を解決するために、請求項９に記載の光コネクタは、内蔵光ファイバを有するフェルールと、前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、前記フェルール及び前記ファイバ固定部と別体に構成され、前記光ファイバケーブルの外皮部と固定されるケーブル固定部と、前記ファイバ固定部に対して前記ケーブル固定部を固定支持するための固定支持部と、前記固定支持部に設けられると共に、前記光ファイバ心線の突出部と接触されて前記光ファイバ心線の突出部に特定の方向に向けてたわみを形成し得る変形状態を取り得る可動片と、を備えている。
【手続補正２５】
【補正対象書類名】明細書
【補正対象項目名】００４３
【補正方法】変更
【補正の内容】
【００４３】
また、前記課題を解決するために、請求項１０に記載の光コネクタは、内蔵光ファイバを有するフェルールと、前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、前記フェルール及び前記ファイバ固定部と別体に構成され、前記光ファイバケーブルの外皮部と固定されるケーブル固定部と、前記溝の中心軸に対して偏芯した位置に中心軸を有すると共に前記溝と連通するガイド孔を有し、前記ファイバ固定部に対して前記ケーブル固定部を固定支持するための固定支持部と、を備えている。
【手続補正２６】
【補正対象書類名】特許請求の範囲
【補正対象項目名】全文
【補正方法】変更
【補正の内容】
【特許請求の範囲】
【請求項１】
光ファイバの先端部が挿入される光コネクタをセットするための光コネクタセット部と、
前記光コネクタセット部にセットされる前記光コネクタの軸方向に前記光コネクタセット部と並んで設けられると共に、前記光コネクタセット部にセットされた前記光コネクタに前記光ファイバの先端部を挿入する際に前記光ファイバのたわみがその表側に形成されるたわみ形成部と、
前記たわみ形成部に対する前記光コネクタセット部と反対側に前記たわみ形成部と並んで設けられると共に、前記光ファイバの先端部よりも後端側が保持されるファイバ仮固定部と、
前記たわみ形成部に形成されると共に、前記光コネクタにおける光ファイバ挿入用の溝と同軸状の軸線を遮るように前記たわみ形成部の表側に突出された凸部と、
を備えた光コネクタ用取付補助具。
【請求項２】
光ファイバの先端部が挿入される光コネクタをセットするための光コネクタセット部と、
前記光コネクタセット部にセットされる前記光コネクタの軸方向に前記光コネクタセット部と並んで設けられると共に、前記光コネクタセット部にセットされた前記光コネクタに前記光ファイバの先端部を挿入する際に前記光ファイバのたわみがその表側に形成されるたわみ形成部と、
前記たわみ形成部に対する前記光コネクタセット部と反対側に前記たわみ形成部と並んで設けられると共に、前記光ファイバの先端部よりも後端側が保持されるファイバ仮固定部と、
を備え、
前記光コネクタセット部と前記ファイバ仮固定部とは、前記光コネクタセット部にセットされた前記光コネクタに挿入される前記光ファイバの先端部の中心軸と、前記ファイバ仮固定部に保持される前記光ファイバの先端部よりも後端側の中心軸とが前記たわみ形成部の表側に凸となる角度を成すように形成されている、
光コネクタ用取付補助具。
【請求項３】
前記たわみ形成部の前記軸方向に沿った長さは、２０ｍｍ以上とされている、
請求項１又は請求項２に記載の光コネクタ用取付補助具。
【請求項４】
前記たわみ形成部の前記軸方向に沿った長さは、２５ｍｍ以上３５ｍｍ以下とされている、
請求項３に記載の光コネクタ用取付補助具。
【請求項５】
前記たわみ形成部には、前記光ファイバをガイドするためのファイバガイド面が設けられている、
請求項１〜請求項４のいずれか一項に記載の光コネクタ用取付補助具。
【請求項６】
請求項５に記載の光コネクタ用取付補助具を用いて、前記光ファイバの先端部に前記光コネクタを固定する光コネクタの組立方法であって、
前記光コネクタセット部に前記光コネクタをセットする工程と、
前記光ファイバの先端部を前記たわみ形成部によってガイドさせながら、前記光ファイバを前記光コネクタセット部側にスライドさせて、前記光ファイバの先端部を前記光コネクタに挿入する工程と、
前記光ファイバの先端部よりも後端側を前記ファイバ仮固定部で支持し、前記光コネクタの内蔵光ファイバの後端と前記光ファイバの先端とが突き当てられて前記たわみ形成部の表側において前記光ファイバにたわみが形成されるまで、前記光ファイバの先端部よりも後端側を前記ファイバ仮固定部で前記光コネクタに前記光ファイバが挿入されるようにスライドさせる工程と、
前記光ファイバにたわみが形成された状態で前記光ファイバの先端部に前記光コネクタを固定する工程と、
を備えた光コネクタの組立方法。
【請求項７】
内蔵光ファイバを有するフェルールと、
前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、
前記フェルール及び前記ファイバ固定部と別体に構成され、前記光ファイバケーブルの外皮部と固定されるケーブル固定部と、
前記ファイバ固定部に対して前記ケーブル固定部を固定支持するための固定支持部と、
前記ファイバ固定部と前記ケーブル固定部との間から突出され、前記光ファイバ心線の突出部に特定の方向に向けてたわみを形成するための凸部と、
を備えた光コネクタ。
【請求項８】
内蔵光ファイバを有するフェルールと、
前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、
前記フェルール及び前記ファイバ固定部と別体に構成され、前記光ファイバケーブルの外皮部と固定されるケーブル固定部と、
前記ケーブル固定部から前記ファイバ固定部に向けて延出されると共に、前記光ファイバ心線の突出部と接触されて前記光ファイバ心線の突出部に特定の方向に向けてたわみを形成し得る変形状態を取り得る可動片と、
前記ファイバ固定部に対して前記ケーブル固定部を固定支持するための固定支持部と、
前記固定支持部に設けられ、前記ケーブル固定部が前記ファイバ固定部側に移動されることに伴って前記可動片と接触されて前記可動片を前記変形状態とする接触部と、
を備えた光コネクタ。
【請求項９】
内蔵光ファイバを有するフェルールと、
前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、
前記フェルール及び前記ファイバ固定部と別体に構成され、前記光ファイバケーブルの外皮部と固定されるケーブル固定部と、
前記ファイバ固定部に対して前記ケーブル固定部を固定支持するための固定支持部と、
前記固定支持部に設けられると共に、前記光ファイバ心線の突出部と接触されて前記光ファイバ心線の突出部に特定の方向に向けてたわみを形成し得る変形状態を取り得る可動片と、
を備えた光コネクタ。
【請求項１０】
内蔵光ファイバを有するフェルールと、
前記フェルールと一体に設けられると共に、内部に形成された溝に前記内蔵光ファイバが挿入され、光ファイバケーブルの外皮部の端部から突出された光ファイバ心線の突出部を前記溝にて前記内蔵光ファイバと突き合わせた状態で固定するためのファイバ固定部と、
前記フェルール及び前記ファイバ固定部と別体に構成され、前記光ファイバケーブルの外皮部と固定されるケーブル固定部と、
前記溝の中心軸に対して偏芯した位置に中心軸を有すると共に前記溝と連通するガイド孔を有し、前記ファイバ固定部に対して前記ケーブル固定部を固定支持するための固定支持部と、
を備えた光コネクタ。
【手続補正書】
【提出日】平成22年10月14日(2010.10.14)
【手続補正１】
【補正対象書類名】明細書
【補正対象項目名】００２９
【補正方法】削除
【補正の内容】
【手続補正２】
【補正対象書類名】明細書
【補正対象項目名】００３０
【補正方法】削除
【補正の内容】
【手続補正３】
【補正対象書類名】明細書
【補正対象項目名】００３１
【補正方法】削除
【補正の内容】
【手続補正４】
【補正対象書類名】明細書
【補正対象項目名】００３２
【補正方法】削除
【補正の内容】
【手続補正５】
【補正対象書類名】明細書
【補正対象項目名】００３３
【補正方法】削除
【補正の内容】
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正１１】
【補正対象書類名】明細書
【補正対象項目名】００３９
【補正方法】削除
【補正の内容】
【手続補正１２】
【補正対象書類名】明細書
【補正対象項目名】００４０
【補正方法】削除
【補正の内容】
【手続補正１３】
【補正対象書類名】明細書
【補正対象項目名】００４１
【補正方法】削除
【補正の内容】
【手続補正１４】
【補正対象書類名】明細書
【補正対象項目名】００４２
【補正方法】削除
【補正の内容】
【手続補正１５】
【補正対象書類名】明細書
【補正対象項目名】００４３
【補正方法】削除
【補正の内容】
【手続補正１６】
【補正対象書類名】明細書
【補正対象項目名】００４４
【補正方法】削除
【補正の内容】
【手続補正１７】
【補正対象書類名】明細書
【補正対象項目名】００４５
【補正方法】削除
【補正の内容】
【手続補正１８】
【補正対象書類名】明細書
【補正対象項目名】００４６
【補正方法】削除
【補正の内容】
【手続補正１９】
【補正対象書類名】特許請求の範囲
【補正対象項目名】全文
【補正方法】変更
【補正の内容】
【特許請求の範囲】
【請求項１】
光ファイバの先端部が挿入される光コネクタをセットするための光コネクタセット部と、
前記光コネクタセット部にセットされる前記光コネクタの軸方向に前記光コネクタセット部と並んで設けられると共に、前記光コネクタセット部にセットされた前記光コネクタに前記光ファイバの先端部を挿入する際に前記光ファイバのたわみがその表側に形成されるたわみ形成部と、
前記たわみ形成部に対する前記光コネクタセット部と反対側に前記たわみ形成部と並んで設けられると共に、前記光ファイバの先端部よりも後端側が保持されるファイバ仮固定部と、
前記たわみ形成部に形成されると共に、前記光コネクタにおける光ファイバ挿入用の溝と同軸状の軸線を遮るように前記たわみ形成部の表側に突出された凸部と、
を備えた光コネクタ用取付補助具。
【請求項２】
光ファイバの先端部が挿入される光コネクタをセットするための光コネクタセット部と、
前記光コネクタセット部にセットされる前記光コネクタの軸方向に前記光コネクタセット部と並んで設けられると共に、前記光コネクタセット部にセットされた前記光コネクタに前記光ファイバの先端部を挿入する際に前記光ファイバのたわみがその表側に形成されるたわみ形成部と、
前記たわみ形成部に対する前記光コネクタセット部と反対側に前記たわみ形成部と並んで設けられると共に、前記光ファイバの先端部よりも後端側が保持されるファイバ仮固定部と、
を備え、
前記光コネクタセット部と前記ファイバ仮固定部とは、前記光コネクタセット部にセットされた前記光コネクタに挿入される前記光ファイバの先端部の中心軸と、前記ファイバ仮固定部に保持される前記光ファイバの先端部よりも後端側の中心軸とが前記たわみ形成部の表側に凸となる角度を成すように形成されている、
光コネクタ用取付補助具。
【請求項３】
前記たわみ形成部の前記軸方向に沿った長さは、２０ｍｍ以上とされている、
請求項１又は請求項２に記載の光コネクタ用取付補助具。
【請求項４】
前記たわみ形成部の前記軸方向に沿った長さは、２５ｍｍ以上３５ｍｍ以下とされている、
請求項３に記載の光コネクタ用取付補助具。
【請求項５】
前記たわみ形成部には、前記光ファイバをガイドするためのファイバガイド面が設けられている、
請求項１〜請求項４のいずれか一項に記載の光コネクタ用取付補助具。
【請求項６】
請求項５に記載の光コネクタ用取付補助具を用いて、前記光ファイバの先端部に前記光コネクタを固定する光コネクタの組立方法であって、
前記光コネクタセット部に前記光コネクタをセットする工程と、
前記光ファイバの先端部を前記たわみ形成部によってガイドさせながら、前記光ファイバを前記光コネクタセット部側にスライドさせて、前記光ファイバの先端部を前記光コネクタに挿入する工程と、
前記光ファイバの先端部よりも後端側を前記ファイバ仮固定部で支持し、前記光コネクタの内蔵光ファイバの後端と前記光ファイバの先端とが突き当てられて前記たわみ形成部の表側において前記光ファイバにたわみが形成されるまで、前記光ファイバの先端部よりも後端側を前記ファイバ仮固定部で前記光コネクタに前記光ファイバが挿入されるようにスライドさせる工程と、
前記光ファイバにたわみが形成された状態で前記光ファイバの先端部に前記光コネクタを固定する工程と、
を備えた光コネクタの組立方法。